【手続補正書】
【提出日】令和2年3月11日(2020.3.11)
【手続補正１】
【補正対象書類名】明細書
【補正対象項目名】０１５０
【補正方法】変更
【補正の内容】
【０１５０】
様々な実施例が記載されている。これら及び他の実施例は、以下の特許請求の範囲内にある。以下、本発明の実施形態の例を列記する。
［１］
熱処理システムであって、前記熱処理システムは、
物質を受容及び保持するように構成されている、基部及び少なくとも１つの側壁を有するボウルと、
前記ボウルに熱的に結合され、前記ボウル内の前記物質の温度を調節するように構成された熱処理デバイスと、
第１の面及び前記第１の面と反対側の第２の面を有する装着板であって、前記装着板は、前記ボウルに取り付けられ、前記装着板の前記第１の面と前記ボウルの前記基部との間に空間が形成されている、装着板と、
前記ボウル及びその中の任意の内容物の重量を測定するように構成された、前記装着板の前記第２の面上に位置付けられた重量測定デバイスと、を備える、熱処理システム。
［２］
前記熱処理デバイスは、前記ボウルの前記基部の周囲に少なくとも部分的に巻き付けられたフィルムヒータを備える、項目１及び３〜１９のいずれか１項に記載のシステム。
［３］
前記熱処理デバイスは、前記ボウル内の任意の内容物を華氏９０度（３２．２℃）〜華氏１２０度（４８．９℃）の範囲の温度に加熱するように構成され、前記空間は、前記ボウル内の任意の内容物が華氏９０度（３２．２℃）〜華氏１２０度（４８．９℃）の範囲の前記温度に加熱されたときに、前記重量測定デバイスが周囲温度よりも摂氏５度超高い温度に達することを防止するのに効果的なサイズを有する、項目１、２、及び４〜１９のいずれか１項に記載のシステム。
［４］
前記空間は、５センチメートル未満である、項目１〜３及び５〜１９のいずれか１項に記載のシステム。
［５］
前記ボウル内の任意の内容物の温度を測定するように構成された温度センサをさらに備える、項目１〜４及び６〜１９のいずれか１項に記載のシステム。
［６］
ユーザインターフェースと、前記ユーザインターフェース、前記熱処理デバイス、及び前記重量測定デバイスと通信しているコントローラとをさらに備え、前記コントローラが、
前記ボウル内の任意の内容物が加熱される目標温度を、前記ユーザインターフェースを介して受信することと、
前記重量測定デバイスから、前記ボウル及びその中の任意の内容物の重量に関する重量測定情報を受信することと、
前記温度センサから温度測定情報を受信することと、
前記重量測定デバイスから受信された重量測定情報及び前記温度センサから受信された温度測定情報に基づき、前記ボウル及びその中の任意の内容物を加熱するように前記熱処理デバイスを制御して、前記ボウル内の内容物を前記目標温度に加熱することと、を行うように構成されている、項目１〜５及び７〜１９のいずれか１項に記載のシステム。
［７］
前記コントローラは、
前記重量測定デバイスからの重量測定情報をメモリ内に記憶された閾値重量と比較することと、
前記重量測定情報が前記閾値重量よりも大きい場合、第１の加熱速度で前記ボウル及びその中の任意の内容物を加熱するように前記熱処理デバイスを制御することと、
前記重量測定情報が前記閾値重量未満である場合、前記第１の加熱速度未満の第２の加熱速度で、前記ボウル及びその中の任意の内容物を加熱するように前記熱処理デバイスを制御することと、を行うように構成されている、項目１〜６及び８〜１９のいずれか１項に記載のシステム。
［８］
前記コントローラが、前記熱処理デバイスのデューティサイクルを調節することによって加熱速度を制御するように構成されている、項目１〜７及び９〜１９のいずれか１項に記載のシステム。
［９］
前記温度センサは、前記ボウルの前記基部内の密封開口部を通って延在し、前記ボウルの前記基部から熱的に隔離されている、項目１〜８及び１０〜１９のいずれか１項に記載のシステム。
［１０］
前記ボウルと前記装着板との間に位置付けられた長さを有する少なくとも１つのスペーサをさらに備え、前記空間が、前記ボウルを前記装着板から分離する前記少なくとも１つのスペーサの前記長さによって形成されている、項目１〜９及び１１〜１９のいずれか１項に記載のシステム。
［１１］
前記少なくとも１つのスペーサは、前記ボウルの前記基部に取り付けられた上端と、前記装着板の前記第１の面に取り付けられた底端とを有する、項目１〜１０及び１２〜１９のいずれか１項に記載のシステム。
［１２］
前記重量測定デバイスは、前記装着板の前記第２の面の下に位置付けられた少なくとも１つのロードセルを備え、前記装着板、前記ボウル、及び前記ボウル内の任意の内容物の重量が、前記ロードセルにかかっている、項目１〜１１及び１３〜１９のいずれか１項に記載のシステム。
［１３］
前記少なくとも１つのロードセルは、前記装着板の前記第２の面の下で互いに離間した位置に位置付けられた複数のロードセルを含む、項目１〜１２及び１４〜１９のいずれか１項に記載のシステム。
［１４］
前記ボウルを包囲し、前記熱処理デバイス、前記装着板、及び前記計量デバイスを封入する、筐体をさらに備える、項目１〜１３及び１５〜１９のいずれか１項に記載のシステム。
［１５］
前記筐体は、基部と、少なくとも１つの側壁とを備え、前記筐体の前記基部及び前記少なくとも１つの側壁が、前記ボウルの前記基部及び前記少なくとも１つの側壁の周りを囲む、項目１〜１４及び１６〜１９のいずれか１項に記載のシステム。
［１６］
前記ボウルの前記少なくとも１つの側壁は、リップ内で終端し、前記筐体が、前記リップ上に延在するフランジを含む、項目１〜１５及び１７〜１９のいずれか１項に記載のシステム。
［１７］
前記筐体は、車輪上に装着された基部によって支持され、その垂直上方にあり、項目１〜１６、１８及び１９のいずれか１項に記載のシステム。
［１８］
重量測定デバイスは、前記筐体の前記基部上に装着された少なくとも１つのロードセルを備え、前記装着板が、前記少なくとも１つのロードセル上に位置付けられ、前記装着板が、前記ボウル内の任意の内容物の重量が変動すると、制限された移動範囲にわたって上向き及び下向きに動くように構成されている、項目１〜１７及び１９のいずれか１項に記載のシステム。
［１９］
前記筐体の前記基部から前記装着板を通って延在する固定ロッドをさらに備え、前記装着板が、前記固定ロッドに沿って上向き及び下向きに動くように構成され、前記固定ロッドの頂部における突出部が、前記制限された移動範囲の境界を付ける、項目１〜１８のいずれか１項に記載のシステム。
［２０］
熱処理システムであって、前記熱処理システムは、
加熱される物質を受容及び保持するように構成されたボウルと、
前記ボウルに熱的に結合され、前記ボウル内の加熱される前記物質の温度を調節するように構成された熱処理デバイスと、
前記ボウル及びその中の任意の内容物の重量を測定するように位置付けられた重量測定デバイスと、
温度センサと、
ユーザインターフェースと、
前記ユーザインターフェース、前記温度センサ、前記熱処理デバイス、及び前記重量測定デバイスと通信しているコントローラであって、
前記ユーザインターフェースを介して、前記ボウル内の任意の内容物が加熱される目標温度を受信することと、
前記重量測定デバイスから、前記ボウル及びその中の任意の内容物の重量に関する重量測定情報を受信することと、
前記温度センサから、前記ボウル内の任意の内容物の測定された温度に関する温度測定情報を受信することと、
前記重量測定デバイスから受信された重量測定情報及び前記温度センサから受信された温度測定情報に基づき、前記ボウル及びその中の任意の内容物を加熱するように前記熱処理デバイスを制御して、前記ボウル内の任意の内容物を前記目標温度に加熱することと、を行うように構成されている、コントローラと、を備える、熱処理システム。
［２１］
前記コントローラは、
前記重量測定デバイスからの重量測定情報をメモリ内に記憶された閾値重量と比較することと、
前記重量測定情報が前記閾値重量よりも大きい場合、第１の加熱速度で前記ボウル及びその中の任意の内容物を加熱するように前記熱処理デバイスを制御することと、
前記重量測定情報が前記閾値重量未満である場合、前記第１の加熱速度未満の第２の加熱速度で、前記ボウル及びその中の任意の内容物を加熱するように前記熱処理デバイスを制御することと、を行うように構成されている、項目２０及び２２〜３０のいずれか１項に記載のシステム。
［２２］
前記コントローラが、前記熱処理デバイスのデューティサイクルを調節することによって加熱速度を制御するように構成されている、項目２０、２１、及び２３〜３０のいずれか１項に記載のシステム。
［２３］
前記コントローラは、
１００％のデューティサイクルで前記熱処理デバイスを操作することによって、前記第１の加熱速度で加熱するように前記熱処理デバイスを制御することと、
２５％〜７５％のデューティサイクルで前記熱処理デバイスを操作することによって、前記第２の加熱速度で加熱するように前記熱処理デバイスを制御することと、を行うように構成されている、項目２０〜２２及び２４〜３０のいずれか１項に記載のシステム。
［２４］
前記コントローラは、前記ボウルの前記内容物が前記目標温度に近づいていることを前記温度測定情報が示したときに、前記ボウルに加えられる加熱速度を調整するように前記熱処理デバイスを制御するように構成されている、項目２０〜２３及び２５〜３０のいずれか１項に記載のシステム。
［２５］
前記閾値重量は、前記ボウルが加熱される前記物質で満たされているときに測定される最大重量の５パーセント〜２０パーセントの範囲内である、項目２０〜２４及び２６〜３０のいずれか１項に記載のシステム。
［２６］
前記閾値重量は、１０００グラム未満である、項目２０〜２５及び２７〜３０のいずれか１項に記載のシステム。
［２７］
前記ユーザインターフェースは、ユーザによって物理的、可聴的、または光学的に関与されるように構成されている、項目２０〜２６及び２８〜３０のいずれか１項に記載のシステム。
［２８］
前記温度センサは、前記ボウルの前記基部内の密封開口部を通って延在し、前記ボウルの前記基部から熱的に隔離されている、項目２０〜２７、２９及び３０のいずれか１項に記載のシステム。
［２９］
前記熱処理デバイスは、前記ボウルの周囲に少なくとも部分的に巻き付けられたフィルムヒータを備え、前記フィルムヒータは、周囲温度から加熱される前記物質を華氏９０度（３２．２℃）〜華氏１２０度（４８．９℃）の範囲の温度に加熱するように構成されている、項目２０〜２８及び３０のいずれか１項に記載のシステム。
［３０］
前記ボウルは、１０リットル未満の容量を有する、項目２０〜２９のいずれか１項に記載のシステム。
［３１］
重量測定デバイスであって、前記重量測定デバイスは、
基部と、
前記基部によって支持され、計量される物質を受容及び保持するように構成されたボウルであって、前記ボウルが、基部及び前記基部から垂直に上向きに離れて延在する側壁を備え、前記基部及び側壁が、計量される前記物質を受容及び保持する開放頂面を有する境界が付けられた空洞を集合的に形成する、ボウルと、
前記ボウル及びその中の任意の内容物の重量に関する重量情報を得るよう位置付けられた計量デバイスと、
ユーザインターフェースと、
前記重量測定デバイスから、前記ボウル及びその中の計量される前記物質に関する重量測定情報を受信し、かつ計量される前記物質の重量を前記ユーザインターフェース上に表示するように構成されたコントローラと、を備える、重量測定デバイス。
［３２］
前記ボウルは、前記基部の垂直上方にあり、前記基部に対する前記ボウルの高さを調節するように動作可能な高さ調節機構をさらに備える、項目３１及び３３〜３９のいずれか１項に記載の重量測定デバイス。
［３３］
前記高さ調節機構は、ピストンと、前記ピストンの位置を制御するように動作可能な調節レバーとを備える、項目３１、３２、及び３４〜３９のいずれか１項に記載の重量測定デバイス。
［３４］
前記基部は、車輪上に装着されている、項目３１〜３３及び３５〜３９のいずれか１項に記載の重量測定デバイス。
［３５］
前記収容容器の前記基部に取り付けられた装着板をさらに備える、項目３１〜３４及び３６〜３９のいずれか１項に記載の重量測定デバイス。
［３６］
前記重量測定デバイスは、前記装着板の下に位置付けられた少なくとも１つのロードセルを備え、前記装着板、前記ボウル、及び前記収容容器内の任意の内容物の重量が、前記ロードセルにかかっている、項目３１〜３５及び３６〜３９のいずれか１項に記載の重量測定デバイス。
［３７］
前記ボウルを包囲し、前記装着板及び前記計量デバイスを封入する、筐体をさらに備える、項目３１〜３６、３８、及び３９のいずれか１項に記載の重量測定デバイス。
［３８］
前記筐体は、基部と、少なくとも１つの側壁とを備え、前記筐体の前記基部及び少なくとも１つの側壁が、前記ボウルの前記基部及び前記少なくとも１つの側壁の周りを囲み、
前記ボウルの前記少なくとも１つの側壁は、リップ内で終端し、前記筐体が、前記リップ上に延在するフランジを含む、項目３１〜３７及び３９のいずれか１項に記載の重量測定デバイス。
［３９］
前記ユーザインターフェースは、前記ボウルの片側に装着された第１のディスプレイを含み、前記ボウルの反対側に装着された第２のディスプレイをさらに備え、前記コントローラが、計量される前記物質の前記重量を前記第１のディスプレイ及び前記第２のディスプレイの両方の上に表示するように構成されている、項目３１〜３８のいずれか１項に記載の重量測定デバイス。
【手続補正２】
【補正対象書類名】特許請求の範囲
【補正対象項目名】全文
【補正方法】変更
【補正の内容】
【特許請求の範囲】
【請求項１】
熱処理システムであって、前記熱処理システムは、
物質を受容及び保持するように構成されている、基部及び少なくとも１つの側壁を有するボウルと、
前記ボウルに熱的に結合され、前記ボウル内の前記物質の温度を調節するように構成された熱処理デバイスと、
第１の面及び前記第１の面と反対側の第２の面を有する装着板であって、前記装着板は、前記ボウルに取り付けられ、前記装着板の前記第１の面と前記ボウルの前記基部との間に空間が形成されている、装着板と、
前記ボウル及びその中の任意の内容物の重量を測定するように構成された、前記装着板の前記第２の面上に位置付けられた重量測定デバイスと、を備える、熱処理システム。
【請求項２】
前記熱処理デバイスは、前記ボウルの前記基部の周囲に少なくとも部分的に巻き付けられたフィルムヒータを備える、請求項１に記載のシステム。
【請求項３】
前記熱処理デバイスは、前記ボウル内の任意の内容物を華氏９０度（３２．２℃）〜華氏１２０度（４８．９℃）の範囲の温度に加熱するように構成され、前記空間は、前記ボウル内の任意の内容物が華氏９０度（３２．２℃）〜華氏１２０度（４８．９℃）の範囲の前記温度に加熱されたときに、前記重量測定デバイスが周囲温度よりも摂氏５度超高い温度に達することを防止するのに効果的なサイズを有する、請求項１又は２に記載のシステム。
【請求項４】
前記ボウル内の任意の内容物の温度を測定するように構成された温度センサをさらに備える、請求項１〜３のいずれか１項に記載のシステム。
【請求項５】
ユーザインターフェースと、前記ユーザインターフェース、前記熱処理デバイス、及び前記重量測定デバイスと通信しているコントローラとをさらに備え、前記コントローラが、
前記ボウル内の任意の内容物が加熱される目標温度を、前記ユーザインターフェースを介して受信することと、
前記重量測定デバイスから、前記ボウル及びその中の任意の内容物の重量に関する重量測定情報を受信することと、
前記温度センサから温度測定情報を受信することと、
前記重量測定デバイスから受信された重量測定情報及び前記温度センサから受信された温度測定情報に基づき、前記ボウル及びその中の任意の内容物を加熱するように前記熱処理デバイスを制御して、前記ボウル内の内容物を前記目標温度に加熱することと、を行うように構成されている、請求項４に記載のシステム。
【請求項６】
前記コントローラは、
前記重量測定デバイスからの重量測定情報をメモリ内に記憶された閾値重量と比較することと、
前記重量測定情報が前記閾値重量よりも大きい場合、第１の加熱速度で前記ボウル及びその中の任意の内容物を加熱するように前記熱処理デバイスを制御することと、
前記重量測定情報が前記閾値重量未満である場合、前記第１の加熱速度未満の第２の加熱速度で、前記ボウル及びその中の任意の内容物を加熱するように前記熱処理デバイスを制御することと、を行うように構成されている、請求項１〜５のいずれか１項に記載のシステム。
【請求項７】
前記温度センサは、前記ボウルの前記基部内の密封開口部を通って延在し、前記ボウルの前記基部から熱的に隔離されている、請求項４又は５に記載のシステム。
【請求項８】
前記ボウルと前記装着板との間に位置付けられた長さを有する少なくとも１つのスペーサをさらに備え、前記空間が、前記ボウルを前記装着板から分離する前記少なくとも１つのスペーサの前記長さによって形成されており、前記少なくとも１つのスペーサは、前記ボウルの前記基部に取り付けられた上端と、前記装着板の前記第１の面に取り付けられた底端とを有する、請求項１〜７のいずれか１項に記載のシステム。
【請求項９】
前記重量測定デバイスは、前記装着板の前記第２の面の下に位置付けられた少なくとも１つのロードセルを備え、前記装着板、前記ボウル、及び前記ボウル内の任意の内容物の重量が、前記ロードセルにかかっている、請求項１〜８のいずれか１項に記載のシステム。
【請求項１０】
前記ボウルを包囲し、前記熱処理デバイス、前記装着板、及び前記計量デバイスを封入する、筐体をさらに備える、請求項１〜９のいずれか１項に記載のシステム。
【請求項１１】
前記筐体は、基部と、少なくとも１つの側壁とを備え、前記筐体の前記基部及び前記少なくとも１つの側壁が、前記ボウルの前記基部及び前記少なくとも１つの側壁の周りを囲む、請求項１０に記載のシステム。
【請求項１２】
前記ボウルの前記少なくとも１つの側壁は、リップ内で終端し、前記筐体が、前記リップ上に延在するフランジを含む、請求項１１に記載のシステム。
【請求項１３】
前記筐体は、車輪上に装着された基部によって支持され、その垂直上方にあり、請求項１０〜１２のいずれか１項に記載のシステム。
【請求項１４】
重量測定デバイスは、前記筐体の前記基部上に装着された少なくとも１つのロードセルを備え、前記装着板が、前記少なくとも１つのロードセル上に位置付けられ、前記装着板が、前記ボウル内の任意の内容物の重量が変動すると、制限された移動範囲にわたって上向き及び下向きに動くように構成されている、請求項１０〜１３のいずれか１項に記載のシステム。
【請求項１５】
熱処理システムであって、前記熱処理システムは、
加熱される物質を受容及び保持するように構成されたボウルと、
前記ボウルに熱的に結合され、前記ボウル内の加熱される前記物質の温度を調節するように構成された熱処理デバイスと、
前記ボウル及びその中の任意の内容物の重量を測定するように位置付けられた重量測定デバイスと、
温度センサと、
ユーザインターフェースと、
前記ユーザインターフェース、前記温度センサ、前記熱処理デバイス、及び前記重量測定デバイスと通信しているコントローラであって、
前記ユーザインターフェースを介して、前記ボウル内の任意の内容物が加熱される目標温度を受信することと、
前記重量測定デバイスから、前記ボウル及びその中の任意の内容物の重量に関する重量測定情報を受信することと、
前記温度センサから、前記ボウル内の任意の内容物の測定された温度に関する温度測定情報を受信することと、
前記重量測定デバイスから受信された重量測定情報及び前記温度センサから受信された温度測定情報に基づき、前記ボウル及びその中の任意の内容物を加熱するように前記熱処理デバイスを制御して、前記ボウル内の任意の内容物を前記目標温度に加熱することと、を行うように構成されている、コントローラと、を備える、熱処理システム。
【請求項１６】
前記コントローラは、
前記重量測定デバイスからの重量測定情報をメモリ内に記憶された閾値重量と比較することと、
前記重量測定情報が前記閾値重量よりも大きい場合、第１の加熱速度で前記ボウル及びその中の任意の内容物を加熱するように前記熱処理デバイスを制御することと、
前記重量測定情報が前記閾値重量未満である場合、前記第１の加熱速度未満の第２の加熱速度で、前記ボウル及びその中の任意の内容物を加熱するように前記熱処理デバイスを制御することと、を行うように構成されている、請求項１５に記載のシステム。
【請求項１７】
前記コントローラが、前記熱処理デバイスのデューティサイクルを調節することによって加熱速度を制御するように構成されている、請求項１５又は１６に記載のシステム。
【請求項１８】
前記コントローラは、
１００％のデューティサイクルで前記熱処理デバイスを操作することによって、前記第１の加熱速度で加熱するように前記熱処理デバイスを制御することと、
２５％〜７５％のデューティサイクルで前記熱処理デバイスを操作することによって、前記第２の加熱速度で加熱するように前記熱処理デバイスを制御することと、を行うように構成されている、請求項１５〜１７のいずれか１項に記載のシステム。
【請求項１９】
前記コントローラは、前記ボウルの前記内容物が前記目標温度に近づいていることを前記温度測定情報が示したときに、前記ボウルに加えられる加熱速度を調整するように前記熱処理デバイスを制御するように構成されている、請求項１５〜１８のいずれか１項に記載のシステム。
【請求項２０】
前記閾値重量は、前記ボウルが加熱される前記物質で満たされているときに測定される最大重量の５パーセント〜２０パーセントの範囲内である、請求項１６に記載のシステム。